(57)【特許請求の範囲】
【請求項１】
ケーシング内を冷却する吸気ファン及び排気ファンが設けられた液晶プロジェクタにおいて、ケーシングの内部温度を検出する複数の温度センサと、各温度センサの検出温度に基づいて、前記吸気ファン及び排気ファンへの駆動電圧を制御する駆動制御回路とを備え、前記駆動制御回路には、各温度センサ毎に、その取り付け位置に応じて定められた温度範囲に対する、前記各温度センサによって検出された検出温度の割合が最大となる最大値に比例して、駆動電圧が出力されることを特徴とする液晶プロジェクタ。
【請求項２】
温度センサが２つ設けられており、一方の温度センサはバックライト用光源ランプの近傍に配されており、他方の温度センサは温度が外気温度に近い温度となる位置に配されていることを特徴とする請求項１に記載の液晶プロジェクタ。
【発明の詳細な説明】
【０００１】
【発明の属する技術分野】
この発明は、液晶プロジェクタに関する。
【０００２】
【従来の技術】
液晶プロジェクタのケーシング内には、液晶パネル、液晶パネルの背面に配置されたバックライト用光源ランプ、信号処理回路、電源回路が設けられている。また、液晶プロジェクタのケーシング内には、液晶パネル、バックライト用光源ランプ等を冷却するための冷却ファンが設けられている。従来においては、これらの冷却ファンは回転数が高い程、冷却効率は向上するが、騒音が大きくなるという問題がある。
【０００３】
液晶プロジェクタの内部温度を検出し、この検出温度に比例して、冷却ファンの制御電圧を決定する場合、温度センサを１個だけ使用し、この温度センサによって検出された温度に基づいて冷却ファンの駆動電圧を制御すると、１個の温度センサが取り付けられている位置によって、液晶プロジェクタの内部温度は決定されてしまう。
【０００４】
液晶プロジェクタ内部では、外気温、通気孔周辺に十分な空間があるかどうかなど、さまざまな要因により、内部の場所において温度差が生じることが考えられる。液晶プロジェクタ内部において部分的に温度が上昇した場合、温度センサの取り付け位置によっては、この部分的な温度上昇を検出することができないことがある。
【０００５】
【発明が解決しようとする課題】
この発明は、液晶プロジェクタ内部において温度が部分的に上昇した場合に、部分的な温度上昇を検出して、冷却ファンの駆動電圧を制御できるようになる液晶プロジェクタを提供することを目的とする。
【０００６】
【課題を解決するための手段】
この発明による液晶プロジェクタは、ケーシング内を冷却する吸気ファン及び排気ファンが設けられた液晶プロジェクタにおいて、ケーシングの内部温度を検出する複数の温度センサと、各温度センサの検出温度に基づいて、前記吸気ファン及び排気ファンへの駆動電圧を制御する駆動制御回路とを備え、前記駆動制御回路には、各温度センサ毎に、その取り付け位置に応じて定められた温度範囲に対する、前記各温度センサによって検出された検出温度の割合が最大となる最大値に比例して、駆動電圧が出力されることを特徴とする。
【０００７】
温度センサが２つ設けられている場合には、一方の温度センサは、たとえば、バックライト用光源ランプの近傍に配され、他方の温度センサは、たとえば、温度が外気温度に近い温度となる位置に配される。
【０００８】
【発明の実施の形態】
以下、図面を参照して、この発明の実施の形態について説明する。
【０００９】
図１は、液晶プロジェクタの概略的な構成を示している。
液晶プロジェクタのケーシング１内には、液晶パネル２が設けられている。液晶パネル２の右側（背面）には、バックライト用光源ランプ３が配置されている。液晶パネル２の下側には吸気ファン（冷却ファン）４が配置されている。バックライト用光源ランプ３の右側には排気ファン（冷却ファン）５が配置されている。
【００１０】
ケーシング１内には、この例では、２つの温度センサ１１、１２が配置されている。これらの温度センサ１１、１２は、異なる位置に配置されている。この例では、一方の温度センサ１１はバックライト用光源ランプ３の近傍に配されている。また、他方の温度センサ１２は、吸気ファン４の近傍、すなわち、温度が外気温度に近い温度となる位置に配されている。
【００１１】
この実施の形態では、温度センサ１１、１２によって検出された温度に基づいて、吸気ファン４および排気ファン５の駆動電圧（回転速度）が制御される。
【００１２】
図２は、吸気ファン４および排気ファン５を制御するための回路を示している。
【００１３】
各温度センサ１１、１２の出力は、ＣＰＵ２０に入力する。ＣＰＵ２０は、吸気ファン４の駆動制御回路２１および排気ファン５の駆動制御回路２２に制御信号を出力する。吸気ファン４の駆動制御方法と、排気ファン５の駆動制御方法とは、同様なので、ここでは、吸気ファン４の駆動制御方法についてのみ説明する。
【００１４】
図３は、ＣＰＵ２０によるファン制御処理手順を示している。
【００１５】
ＣＰＵ２０は、所定時間間隔、例えば、１．５秒毎に、各温度センサ１１、１２によって検出された検出温度を読み取る（ステップ１）。
【００１６】
各温度センサ１１、１２毎に、その取り付け位置に応じて、その位置での温度範囲が予め定められている。温度センサ１１の検出温度をＴａとし、温度センサ１１の取り付け位置での温度範囲をＴａＬ〜ＴａＨ（ＴａＬ＜ＴａＨ）とする。温度センサ１２の検出温度をＴｂとし、温度センサ１２の取り付け位置での温度範囲をＴｂＬ〜ＴｂＨ（ＴｂＬ＜ＴｂＨ）とする。
【００１７】
図４に各温度センサ１１、１２による検出温度が変化していく様子の例を示している。図４に示すように、この例では、温度センサ１１の温度範囲の上限ＴａＨの方が、温度センサ１２の温度範囲の上限ＴｂＨより高く設定されている。
【００１８】
ＣＰＵ２０は、各温度センサ１１、１２によって検出された検出温度Ｔａ、Ｔｂを読み取ると、それらがその取り付け位置での温度範囲の上限ＴａＨ、ＴｂＨを越えているいるか否かを判定する（ステップ２）。
【００１９】
検出温度Ｔａ、Ｔｂのいずれか一方でも、そのセンサ取り付け位置に対する温度範囲の上限ＴａＨ、ＴｂＨを越えている場合には、ＣＰＵ２０は、バックライト用光源ランプ３を消灯し、クーリング状態に移行する（ステップ３）。
【００２０】
検出温度Ｔａ、Ｔｂのいずれもが、そのセンサ取り付け位置に対する温度範囲の上限ＴａＨ，ＴｂＨ以下である場合には、ＣＰＵ２０は、次式（１）、（２）に基づいて、各温度センサ毎に、その温度範囲に対するその検出温度の割合ＴａＸ、ＴｂＸを算出する（ステップ４）。
【００２１】
ＴａＸ＝（Ｔａ−ＴａＬ）／（ＴａＨ−ＴａＬ）    …（１）
ＴｂＸ＝（Ｔｂ−ＴｂＬ）／（ＴｂＨ−ＴｂＬ）    …（２）
【００２２】
そして、ＣＰＵ２０は、ＴａＸがＴｂＸ以上か否かを判定する（ステップ５）。ＴａＸがＴｂＸ以上である場合には、ＣＰＵ２０は、ＴａＸに比例した駆動電圧を駆動制御回路２１に出力する（ステップ６）。そして、ステップ1に戻る。
【００２３】
ＴａＸがＴｂＸより小さい場合には、ＣＰＵ２０は、ＴｂＸに比例した駆動電圧を駆動制御回路２１に出力する（ステップ７）。そして、ステップ１に戻る。
【００２４】
上記実施の形態では、液晶プロジェクタ内部において温度が部分的に上昇した場合、温度が上昇した場所に配置されている温度センサの検出温度に基づいて冷却ファン４、５の回転数が高められるので、安全性を高めることができる。
【００２５】
なお、上記実施の形態では、温度センサは２個設けられているが３個以上設けてもよい。３個以上設けた場合には、各温度センサ毎に算出された温度範囲に対する検出温度の割合の最大値に基づいて、冷却ファンの駆動電圧が制御される。
【００２６】
【発明の効果】
この発明によれば、液晶プロジェクタ内部において温度が部分的に上昇した場合に、部分的な温度上昇を検出して、冷却ファンの駆動電圧を制御できるようになる。
【図面の簡単な説明】
【図１】液晶プロジェクタの概略的な構成を示す模式図である。
【図２】吸気ファン４および排気ファン５を制御するための回路の構成を示すブロック図である。
【図３】ＣＰＵ２０によるファン制御処理手順を示すフローチャートである。
【図４】各温度センサ１１、１２による検出温度が変化していく様子の例を示すグラフである。
【符号の説明】
１  ケーシング
２  液晶パネル
３  バックライト用光源ランプ
４  吸気ファン
５  排気ファン
１１、１２  温度センサ
２０  ＣＰＵ
２１、２２  駆動制御回路
【図１】
0003625774.tif 000002
【図２】
0003625774.tif 000003
【図４】
0003625774.tif 000004
【図３】
0003625774.tif 000005